(57)【要約】      （修正有）【課題】着物を着用する際の煩わしさを低減し、着物の着用後の見栄えをよくする補正部付き裾よけを提供する。【解決手段】着物の中に着る裾よけにおいて、前記裾よけは脚布２及び腰布３を有しており、前記脚布２に腰部及び臀部を補整するための第１補整布６を設け、前記第１補整布６に腰部及び臀部の凹みに当てるための第１補整パッド７を設け、前記腰布３に腰部に当てるための第２補整パッド１７を設けることにより腰部及び臀部の起伏を少なくすることができる。【選択図】図１
0003142388.tif 000002
【実用新案登録請求の範囲】
【請求項１】
着物の中に着る裾よけにおいて、
前記裾よけは脚布及び腰布を有しており、
前記脚布に腰部及び臀部を補整するための第１補整布を設け、
前記腰布に腰部を補整するための第２補整布を設け、
前記第１補整布に腰部及び臀部の凹みに当てるための第１補整パッドを設け、
前記第２補整布に腰部に当てるための第２補整パッドを設けたことを特徴とする補整部付き裾よけ。
【請求項２】
前記第１補整パッドが複数層で形成された請求項１に記載の補整部付き裾よけ。
【請求項３】
前記第１補整パッドが略半楕円形状で長軸が鉛直方向と平行に形成された請求項１または２に記載の補整部付き裾よけ。
【請求項４】
裾よけ着用時に前記第１補整布が左腰骨から臀部を介して右腰骨の範囲近傍のみを覆うように設けられた請求項１乃至３のいずれか１項に記載の補整部付き裾よけ。
【請求項５】
前記第１補整布に前記第１補整パッドを入れるための第１ポケットを設け、
前記第２補整布に前記第２補整パッドを入れるために腰布の下端の一部に第２挿入口を設けた請求項１乃至４のいずれか１項に記載の補整部付き裾よけ。
【請求項６】
前記腰布に係止部を設けた請求項１乃至５のいずれか１項に記載の補整部付き裾よけ。
【考案の詳細な説明】
【技術分野】
【０００１】
補整部を有する裾よけに関する。
【背景技術】
【０００２】
従来、着物を着用する際、美しく着るために、タオルなどを体の腰部に当てて体型を整えていた。このタオルを用いた補整は、他人に着付けてもらう場合はあまり問題なく補整できるが、自分で着る場合には、タオルなどを適所に当てるのが大変難しく補整しにくかった。また、着物を着用する際、腰部にはこのタオル以外にも、上半身に肌襦袢、下半身に裾よけを着用するため、複数本の紐、タオル等を腹部または腰部に巻きつけることになり、大変煩わしく感じることが多かった。そこで、この煩わしさを解消させるために肌襦袢にポケットを設け、その中に補整用のパッドを入れてタオルの代わりにする考案がなされている（例えば、実用新案文献１参照。）。また、パット以外にも裾よけに幅のある布を用い、且つ、裾よけ着用時に裾すぼまりになるような考案もなされている（例えば、実用新案文献１参照。）。
【特許文献１】実用新案登録第３０３３３４４号公報
【特許文献２】実用新案登録第３０８８６９９号公報
【考案の開示】
【考案が解決しようとする課題】
【０００３】
しかしながら、肌襦袢に補整用パッドを設けて補整した場合、腰部及び臀部近傍の適所にこの補整用パッドを設けることが困難であった。また、裾よけの適所にパッドを設け、補整するような裾よけは今までに考案されていない。
【０００４】
本願考案は裾よけの適所にパッドを設けることにより、着物を着用する際の煩わしさを低減し、着物の着用後の見栄えをよくすることを目的としている。
【課題を解決するための手段】
【０００５】
上記課題を解決するため、本願考案の補整部付き裾よけは、
着物の中に着る裾よけにおいて、前記裾よけは脚布及び腰布を有しており、前記脚布に腰部及び臀部を補整するための第１補整布を設け、前記腰布に腰部を補整するための第２補整布を設け、前記第１補整布に腰部及び臀部に当てるための第１補整パッドを設け、前記第２補整布に腰部に当てるための第２補整パッドを設けたことを特徴とする。これにより、腰部及び臀部の起伏が少なくなる。
【０００６】
また、前記第１補整パッドが複数層で形成された場合、腰部及び臀部の起伏が更に少なくなる。
【０００７】
また、前記第１補整パッドが略半楕円形状で長軸が鉛直方向と平行に形成された場合、腰部及び臀部にフィットし易くなる。
【０００８】
また、裾よけ着用時に前記第１補整布が左腰骨から臀部を介して右腰骨の範囲近傍のみを覆うように設けた場合、腰部及び臀部がより補整される。
【０００９】
また、前記第１補整布に前記第１補整パッドを入れるための第１ポケットを設け、前記第２補整布に前記第２補整パッドを入れるために腰布の下端の一部に第２挿入口を設けた場合、体型にあった第１補整パッド及び第２補整パッドへの入れ替えが可能となる。
【００１０】
また、前記腰布に係止部を設けた場合、裾よけを紐などで結ぶ必要がなくなる。
【考案の効果】
【００１１】
裾よけに補整部を設けることにより、その外側から着る着物の腰部及び臀部近傍の起伏を減らすことができ、着物着用時の煩わしさを低減することができる。
【考案を実施するための最良の形態】
【００１２】
本願考案の一実施形態を、図面を参照しつつ説明する。
【００１３】
図１は、本願考案の一実施形態である裾よけの体に付ける側を手前にしたときの展開図である。
【００１４】
図１に示すように、裾よけ１は脚布２、腰布３を有しており、脚布２には下端の両端の左端部４及び右端部５に傾斜がつけられており、裾よけを体に巻き付けた場合、裾よけの左端部４または右端部５が腰布３に向かって上がるように形成されている。これにより、姿勢を変えた際（かがむ等）に脚布２の合わせが整えられ、着物を着た際の裾の見栄えがよくなるようになっている。
【００１５】
また、裾よけ１の略中央部には第１補整布６（晒しなど）が略長方形状に設けられ、この第１補整布６の略中央部には第１補整パッド７が略半楕円形状で形成され、略半楕円形状の長軸が鉛直方向に平行に設けられており、裾よけ１の着用時にこの第１補整パッド７が体の腰部及び臀部の凹みの位置にフィットするようになっている。
【００１６】
そして、この第１補整布６の上側に設けられた腰布３に第２補整布８及び第２補正パッド１７が設けられ、第２補正パッド１７は第２補正布８の左右方向略中央部に位置するようになっており、裾よけ１着用時に体の腰部に当てられるようになっている。また、第２補整パッド１７の両端部近傍及び腰布３の両端部近傍には係止部９、９’、１０、１０’（マジックテープ（登録商標）、ボタン、ホックなど）が設けられている。これにより、裾よけ１を腹部で結ぶことなく係止部９を係止部１０’、 係止部１０を係止部９’に合わせるだけで簡単に裾よけを着用することができるようになっている。
【００１７】
そして、この裾よけ１を腹部に固定する際の係止部９、９’、１０、１０’の合わせ位置は、係止部９と係止部９’の略中央位置、及び係止部１０と係止部１０’の略中央位置がともに腹部の中央になるようになっている。これにより、裾よけ１を体に巻き付けた際、裾よけ１が腹部で確実に重なるようになり、脚布２の左右端が体の大腿部の側面にくるようになるため、腰を曲げる或いはかがむ等をした際に大腿部が裾よけ１からはみださないようになっている。
【００１８】
また、体型に応じて腰布と脚布との境目近傍にタック３０、３１が設けられており、腹部及び腰部の窮屈感を低減することができる。そして、この脚布２は脚と接する部分であるので、歩行時などに脚にまとわり難い材質のもの、または、体と接する部分に脚にまとわり難くなるような加工がなされているものが用いられている。
【００１９】
図２は、図１の第１補整パッド７及び第２補整パッド８近傍の矢視断面図であり、（ａ）はＭ−Ｍ線上の矢視断面図、（ｂ）はＮ−Ｎ線上の矢視断面図である。
【００２０】
図２（ａ）に示すように、外側から内側（身体側）に向かって順に脚布２、第１補整布６、第１補整パッド７が設けられている。この第１補整布６は伸縮性の低い（伸び難い）材質が用いられ、脚布２に縫着されており、臀部を補整することができるようになっている。
【００２１】
この第１補整布６の内側には第１補整パッド７を入れるための、略半円形状の第１ポケット１１が形成され、その上端部に第１補整パッド７を入れるための第１挿入口２５が設けられており、この第１ポケット１１に上側から第１補整パッド７を挿入することにより、体型に合った裾よけ１にすることができるようになっている。
【００２２】
そして、この第１補整パッド７は弾性のある材質（表地に綿、裏地に不織布等）を用いて３層に形成されており、第１層１２は第１ポケット１１とほぼ同様な大きさに形成され、その内側の第２層１３は第１層１２より小さく形成され、更にその内側の第３層１４は第２層１３より小さく形成されている。また、この３層は図１に示すように、この３層のそれぞれの中心が鉛直方向（着用時の上下方向）で合うように、つまり、ピラミット状に縫着されており、体の凹凸（腰部及び臀部の凹み等）に対応するようになっている。そして、３層の上端部１５は水平方向（着用時の前後左右方向）に揃えられており（図１参照）、着用時に腰部及び臀部にフィットするように形成されている。
【００２３】
また、図２（ｂ）に示すように、腰布３の内部には外側から内側（身体側）に向かって順に第２補整布８、第２補整パッド１７、が設けられている。この腰布３は、図１に示す第１補整布６が設けられて位置と左右方向の同じ範囲の位置で、脚布２の下端の一部に第２補整パッド１７を入れるための第２挿入口２６が設けられており、第２補整パッド１７を下側から挿入することができるようになっている。そして、この第２補整パッド１７は弾性のある材質（表地に綿、裏地に不織布等）を用いて形成されており、体の腰部にフィットするように形成されている。
【００２４】
図３は、裾よけ着用時の図であり、（ａ）は左側面から見た一部断面図、（ｂ）は（ａ）の腰部及び臀部近傍の一部拡大図、（ｃ）は（ａ）のＬ−Ｌ線上の矢視断面図である。
【００２５】
図３（ａ）（ｂ）に示すように、臀部２１の最も突出したところから、腰部２２近傍までの間に第１補整布６、第２補整布８、第１補整パッド７、第２補整パッド１７が設けられている。これらを有することによって臀部２１から腰部２２にかけて起伏が無くなり、裾よけの外側から着物を着用するときに、この起伏による着物の皺などを出にくくすることが出来る。
【００２６】
また、体の臀部２１から腰部２２には、図３（ｃ）に示すように、臀部２１から腰部２２に沿うように第１補整パッド７が設けられ、その外側には第１補整布６が左右腰骨２３、２４近傍まで設けられており、その外側には脚布２が体を覆うように設けられている。そして、第１補整パッド７の３層は、第３層１４が体の背骨の凹みにフィットするように設けられ、第２層１３、第１層１２及び第１補整布６が第３層１４を覆うことにより、３次元的に腰部２２及び臀部２１にフィットし、脚布２の起伏をなくし、着物を着用する際にできる臀部２１から腰部２２の皺をなくすことができ、見栄えをよくすることができる。
【００２７】
上記構成により、臀部の凹み及び背骨近傍の凹みに補整パッドを適度にフィットさせることができ、裾よけ１を着用したときの腰部及び臀部の見栄えがよくなる。
【００２８】
また、第１補整パッドは３層構造ではなく、１層または複数層で構成され、弾性を有する材質を用いて３次元的に腰部２２及び臀部２１に第１補整パッドをフィットさせ、脚布２の起伏をなくす構成にしてもよい。
【産業上の利用可能性】
【００２９】
着物の中に着る裾よけに利用することができる。
【図面の簡単な説明】
【００３０】
【図１】本願考案の一実施形態である裾よけの体に付ける側を手前にしたときの展開図である。
【図２】図１の第１補整パッド及び第２補整パッド近傍の矢視断面図であり、（ａ）はＭ−Ｍ線上の矢視断面図、（ｂ）はＮ−Ｎ線上の矢視断面図である。
【図３】裾よけ着用時の図であり、（ａ）は左側面から見た一部断面図、（ｂ）は（ａ）の腰部及び臀部近傍の一部拡大図、（ｃ）は（ａ）のＬ−Ｌ線上の矢視断面図である。
【符号の説明】
【００３１】
１  裾よけ
２  脚布
３  腰布
４  左端部
５  右端部
６  第１補整布
７  第１補整パッド
８  第２補整布
９、１０  係止部
１１  第１ポケット
１２  第１層
１３  第２層
１４  第３層
１５  上端部
１７  第２補整パッド
２１  臀部
２２  腰部
２３  左腰骨
２４  右腰骨
２５  第１挿入口
２６  第２挿入口
【図１】
0003142388.tif 000003
【図２】
0003142388.tif 000004
【図３】
0003142388.tif 000005